(57)【特許請求の範囲】
【請求項１】
スタンド基体（１２）と、
回転軸線を中心として回転可能な対物レンズレボルバ（１６）と、
対象物支持体を支持するレボルバ支持体（２０）であって、該レボルバ支持体（２０）によって前記対物レンズレボルバ（１６）が前記スタンド基体（１２）に対して相対的に顕微鏡（１０）の光学軸線に沿って可動に前記スタンド基体（１２）に支持されている、レボルバ支持体（２０）と、を備えた顕微鏡であって、
前記光学軸線に沿って前記レボルバ支持体（２０）が動くときに、前記スタンド基体（１２）と前記レボルバ支持体（２０）ならびに前記対物レンズレボルバ（１６）との間の中間スペース（６０）の大きさが変化し、
前記対物レンズレボルバ（１６）は、前記顕微鏡（１０）の光学軸線と、前記対物レンズレボルバ（１６）の回転軸線とが互いに対して傾斜して延びているように、前記レボルバ支持体（２０）に傾斜して取り付けられている、顕微鏡（１０）において、
第１のカバー（５０）が、前記スタンド基体（１２）に取り付けられており、該第１のカバー（５０）は、前記スタンド基体（１２）と前記レボルバ支持体（２０）との間の中間スペース（６０）を少なくとも部分的に閉鎖し、
前記第１のカバー（５０）は、前記対物レンズレボルバ（１６）の領域において切欠き（５４）を有しており、前記レボルバ支持体（２０）が下側位置に配置されている場合に、前記切欠き（５４）内に、前記対物レンズレボルバ（１６）の部分領域および／または前記レボルバ支持体（２０）の部分領域が配置されており、
第２のカバー（５２）が、前記対物レンズレボルバ（１６）および／または前記レボルバ支持体（２０）に取り付けられており、前記第２のカバー（５２）は、前記切欠き（５４）を少なくとも部分的に閉鎖することを特徴とする、顕微鏡。
【請求項２】
前記第２のカバー（５２）は、前記中間スペース（６０）の一部を閉鎖する、請求項１記載の顕微鏡（１０）。
【請求項３】
前記第１のカバー（５０）および前記第２のカバー（５２）は、前記レボルバ支持体（２０）の同一の側に配置されている、請求項１または２記載の顕微鏡（１０）。
【請求項４】
前記第１のカバー（５０）は、前記レボルバ支持体（２０）と、前記第２のカバー（５２）との間に配置されている、請求項３記載の顕微鏡（１０）。
【請求項５】
前記第１のカバー（５０）は、前記レボルバ支持体（２０）のすぐ手前に配置されている、かつ／または前記第２のカバー（５２）は、前記第１のカバー（５０）のすぐ手前に配置されている、請求項１から４までのいずれか１項記載の顕微鏡（１０）。
【請求項６】
前記第１のカバー（５０）の形状は、前記レボルバ支持体（２０）の輪郭に適合されている、かつ／または前記第２のカバー（５２）の形状は、前記第１のカバー（５０）および／または前記対物レンズレボルバ（１６）の輪郭に適合されている、請求項１から５までのいずれか１項記載の顕微鏡（１０）。
【請求項７】
前記回転軸線に関して、前記対物レンズレボルバ（１６）の、前記光学軸線とは反対の側に位置する部分が、前記第１のカバー（５０）の前記切欠き（５４）の内部に配置されている、請求項１から６までのいずれか１項記載の顕微鏡（１０）。
【請求項８】
前記対物レンズレボルバ（１６）を手動で回転するために操作可能である、前記対物レンズレボルバ（１６）の操作部分が、前記第２のカバー（５２）を越えて突出している、請求項１から７までのいずれか１項記載の顕微鏡（１０）。
【請求項９】
前記対物レンズレボルバ（１６）の前記操作部分は、前記レボルバ支持体（２０）が前記下側位置に配置されている場合、前記第１のカバー（５０）の前記切欠き（５４）の内部に配置されている、請求項８記載の顕微鏡（１０）。
【請求項１０】
前記スタンド基体（１２）に、前記中間スペース（６０）を閉鎖するための第３のカバー（５８）が設けられており、前記第１のカバー（５０）および前記第３のカバー（５８）は、前記レボルバ支持体（２０）に関して互いに異なる側に配置されている、請求項１から９までのいずれか１項記載の顕微鏡（１０）。
【請求項１１】
前記第３のカバー（５８）の形状は、前記レボルバ支持体（２０）の輪郭に適合されている、請求項１０記載の顕微鏡（１０）。
【請求項１２】
前記第１のカバー（５０）、前記第２のカバー（５２）および／または前記第３のカバー（５８）は、それぞれカバー金属薄板として形成されている、請求項１０または１１記載の顕微鏡（１０）。
【請求項１３】
前記第１のカバー（５０）、前記第２のカバー（５２）および／または前記第３のカバー（５８）は、それぞれ前記中間スペース（６０）の外側に配置されている、請求項１０から１２までのいずれか１項記載の顕微鏡（１０）。
【請求項１４】
前記第１のカバー（５０）、前記第２のカバー（５２）および／または前記第３のカバー（５８）は、前記スタンド基体（１２）に対して相対的に前記レボルバ支持体（２０）が動くときに、変形されない、請求項１０から１３までのいずれか１項記載の顕微鏡（１０）。
【請求項１５】
前記第１のカバー（５０）、前記第２のカバー（５２）、前記第３のカバー（５８）、前記レボルバ支持体（２０）、前記対物レンズレボルバ（１６）および前記スタンド基体（１２）は、前記中間スペース（６０）を全ての側で取り囲んでいる、請求項１０から１４までのいずれか１項記載の顕微鏡（１０）。
【請求項１６】
取り囲まれている前記中間スペース（６０）内に、付加的に光学手段を位置決め可能であり、該光学手段は、前記第１のカバー（５０）、前記第２のカバー（５２）および前記第３のカバー（５８）により外部から侵入してくる光に対して防護されている、請求項１５記載の顕微鏡（１０）。
【発明の詳細な説明】
【技術分野】
【０００１】
本発明は、顕微鏡であって、スタンド基体と、回転軸線を中心として回転可能な対物レンズレボルバと、該対物レンズレボルバを支持するレボルバ支持体とを備え、該レボルバ支持体を介して、対物レンズレボルバがスタンド基体に対して相対的に、顕微鏡の光学軸線の方向に可動に、該スタンド基体に支持されている、顕微鏡に関する。レボルバ支持体の移動時に、スタンド基体とレボルバ支持体ならびに対物レンズレボルバとの間の中間スペースの大きさが変化する。対物レンズレボルバは、顕微鏡の光学軸線と対物レンズレボルバの回転軸線とが互いに対して傾斜して延びているように、レボルバ支持体に傾斜して取り付けられている。
【０００２】
顕微鏡では、対象物への焦点合わせのために、対象物と、顕微鏡の対物レンズの間の間隔を調節することが必要である。このことはたとえば、対物レンズレボルバが取り付けられているレボルバ支持体を、スタンド基体に対して相対的に、ひいては顕微鏡テーブルに対して相対的に走行させることができることにより行うことができる。この場合、通常は、レボルバ支持体がスタンド基体に接触するか、またはスタンド基体に対して小さな間隔しか有していない下側位置がある。レボルバ支持体が上方に向かって移動させられると、レボルバ支持体とスタンド基体との間に中間スペースが生じる。この中間スペースは通常、オペレータの指が問題なしに入り込むことができるように大きい。このことは、レボルバ支持体の引き続き行われる降下運動時に指がレボルバ支持体とスタンド基体との間に挟まれ得るという問題をもたらす。このような中間スペースの別の問題は、該中間スペースを通じて光が外方に漏れ出し得ることである。このことは、レーザビームが観察および／または加工および／または試料の操作のために使用される場合に特に危険である。
【０００３】
独国特許発明第１０２００７０２８４０２号明細書からは、直立式の顕微鏡が公知である。この顕微鏡では、挟込み防護装置として、対物レンズレボルバまたは顕微鏡テーブルにおいて、皿ばね状のエレメントが配置されている。この皿ばね状のエレメントは、中間スペースの内部に配置され、したがって中間スペースを、オペレータが中間スペース内に手を差し込むことができないように閉鎖している。特にレーザビームからの光防護の問題は全く議論されていない。
【０００４】
この挟込み防護装置は、当該挟込み防護装置が、それぞれ傾斜して支持された対物レンズレボルバを備えた反転式の顕微鏡（inverse Mikroskop）には簡単に使用され得ないという欠点を有している。このように傾斜して支持された対物レンズレボルバでは、対物レンズレボルバは通常、側方でレボルバ支持体を越えて突出しているので、該レボルバ支持体の下面にはこのような皿ばねを簡単に取り付けることはできない。
【０００５】
本発明の課題は、焦点合わせ時に生じる中間スペースが確実かつ信頼性よく閉鎖されていて、ユーザの手の差込みに対する防護も、漏れ出る光、特にレーザ光に対する防護も提供する顕微鏡を提供することにある。
【０００６】
この課題は、請求項１に記載の特徴を備えた顕微鏡により解決される。本発明の有利な態様は、従属請求項に記載されている。
【０００７】
本発明によれば、顕微鏡は少なくとも第１のカバーと第２のカバーとを有している。この場合、第１のカバーは、スタンド基体に取り付けられており、スタンド基体に対して相対的なレボルバ支持体の移動時にこれら両エレメントの間に形成される、スタンド基体とレボルバ支持体との間の中間スペースを、少なくとも部分的に閉鎖する。第１のカバーは、切欠きを有している。この切欠き内には、レボルバ支持体が下側位置に配置されている場合に、対物レンズレボルバの部分領域および／またはレボルバ支持体の部分領域が配置されている。これに対して第２のカバーは、対物レンズレボルバおよび／またはレボルバ支持体に取り付けられており、少なくともレボルバ支持体が上側位置に配置されている場合に、第１のカバーの切欠きを少なくとも部分的に、好適には完全に閉鎖する。第１のカバーおよび第２のカバーは、特にオーバラップしていてもよい。
【０００８】
したがって、第１のカバーと第２のカバーとの協働により、中間スペースおよび切欠きが信頼性よく確実に簡単な形式で閉鎖されることが達成される。したがって挟まり防護が達成され、レボルバもしくはレボルバ支持体の全ての位置のために光、特にレーザ光の漏出は回避される。
【０００９】
レボルバ支持体は、好適にはスタンド基体の表面に対して間隔を有していないか、または最小限の間隔しか有していない下側位置と、この表面に対して最大の間隔を有している上側位置との間で線形に移動可能である。したがって、上側位置において、中間スペースは最大の大きさを有していて、下側位置では、これに対して最小の大きさを有している。「下側」および「上側」の概念は、顕微鏡の規定された配向に関し、つまりいわゆるｚ方向である。
【００１０】
第２のカバーは、この場合、この第２のカバーによって専ら切欠きのみが閉鎖されるように形成されていてもよく、この場合、レボルバ支持体と、スタンド基体の、該レボルバ支持体に面した表面との間の中間スペースは、第１のカバーにより閉鎖される。択一的な態様では、中間スペースの一部も第２のカバーにより閉鎖されることができ、これにより第１のカバーはこの領域において相応して小さく形成されていてもよい。
【００１１】
第１のカバーおよび第２のカバーは特に、オペレータの指の挟込みを最大の可能な中間スペースにおいても阻止し、かつ／または中間スペースからの光の漏出が回避されるように、中間スペースと切欠きとを閉鎖する。したがって、確実な挟まり防護と、確実な光線防護とが保証される。
【００１２】
第１のカバーおよび第２のカバーは、特にレボルバ支持体の同一の側に配置されている。さらに、第１のカバーと第２のカバーとが、少なくとも部分的にオーバラップしていることが好ましい。これにより中間スペースおよび切欠きを確実に閉鎖させることができる。第１のカバーしか設けなかった場合、確かに中間スペースは閉鎖されるが、しかし確実な挟まり防護と同時に光線防護は達成されない。なぜならば切欠きの領域において、第１のカバーの上側のエッジと対物レンズレボルバとの間での挟込みが可能であり、ここで光が漏出し得るからである。両方のカバーの協働によってのみ確実な防護が提供されている。
【００１３】
第１のカバーは、特にレボルバ支持体と第２のカバーとの間に配置されている。この場合、間隔ができるだけ小さく選択されており、特に中間隙間への手の差込みが不可能であり、これにより挟込みが回避されるように小さい。
【００１４】
このためには第１のカバーは、好適にはレボルバ支持体のすぐ手前に配置されている。同様に第２のカバーも特に第１のカバーのすぐ手前に配置されている。
【００１５】
第１のカバーの形状は、特にレボルバ支持体の輪郭に適合されているので、第１のカバーは、レボルバ支持体に載置し、したがって光が漏れ出ることができるか、またはオペレータが手を差し込み得る中間スペースが生じない。相応して第２のカバーは、第１のカバーおよび／または対物レンズレボルバの輪郭を有しているので、カバー同士の間のオーバラップ領域において、中間スペースもしくは切欠きの閉鎖ができるだけ隙間なしに行われる。
【００１６】
レボルバ支持体が下側位置に配置されている場合に、特に回転軸線に関して光学軸線とは反対の側に位置する部分が、第１のカバーの切欠きの内部に配置されている。反対の側に位置する部分とは、特に、回転軸線が、光学軸線と、この反対の側に位置する部分との間に配置されており、これによりこの反対の側に位置する部分が、光学軸線に対して最大の間隔を有しているものと理解される。
【００１７】
対物レンズレボルバは、対物レンズレボルバの対物レンズを顕微鏡の光学軸線上に選択的に回転させることができるように、回動可能にレボルバ支持体に支持されている。
【００１８】
別の態様では、対物レンズレボルバの操作部分は、レボルバ支持体、第１のカバーおよび第２のカバーを越えて突出する。この場合、この突出している部分は、対物レンズレボルバの手動の回転のために操作可能である。これにより、中間スペースの完全な閉鎖にも拘わらず、対物レンズレボルバの機能性が手動の操作時にも完全に保証されていることが達成される。択一的または付加的には、対物レンズレボルバに、対物レンズレボルバのモータによる移動を可能にするモータが対応して配置されていてもよい。
【００１９】
好ましい態様では、スタンド基体に、中間スペースを閉鎖するための第３のカバーが設けられている。この場合、第１のカバーおよび第３のカバーは、レボルバ支持体に関して、該レボルバ支持体の異なる側に配置されている。したがって、一方の側が第３のカバーにより、他方の側が第１のカバーと第２のカバーとの協働により閉鎖されることが達成される。第３のカバーは、特にレボルバ支持体の輪郭に適合されているので、この側においても、できるだけ間隙のない中間スペースの閉鎖が達成される。したがってオペレータの指を挟込む虞および／または光の漏出の虞は最小限にされる。
【００２０】
第１のカバー、第２のカバーおよび／または第３のカバーは、特にそれぞれカバー金属薄板として形成されており、これにより簡単な製造およびできるだけ良好な形状付与および安定性が達成される。
【００２１】
第１のカバー、第２のカバーまたは第３のカバーは、特に中間スペースの外側に配置されており、したがって中間スペースを空のままにする。つまりこれらのカバーは、レボルバ支持体の下方に配置されておらず、特にその下面に取り付けられておらず、これにより中間スペース内には付加的な光学手段が位置決め可能である。これはたとえばビームスプリッタ、フィルタ、ビームを形成する付加的な光学系等であってもよい。これらは、カバーにより外部から侵入する光に対して防護されている。
【００２２】
第１のカバー、第２のカバーおよび／または第３のカバーが、スタンド基体に対して相対的にレボルバ支持体が動くときに変形されないと有利である。特に、第１のカバー、第２のカバーおよび第３のカバーは、剛性のボディとして形成されており、レボルバ支持体の移動中に弾性的に変形されない。
【００２３】
第１のカバー、第２のカバーおよび第３のカバー、レボルバ支持体、対物レンズレボルバおよびスタンド基体は、特に中間スペースが完全に取り囲まれるように協働するので、全ての側において挟まり防護および不都合な光の漏出に対する確実なレーザ防護が保証されている。
【００２４】
本発明の別の特徴および利点は、本発明を実施の形態につき添付の図面と共に詳しく説明する以下の図面から明らかになる。
【図面の簡単な説明】
【００２５】
【図１】レボルバ支持体の下側位置において、第１の側から見た顕微鏡の概略図である。
【図２】レボルバ支持体の上側位置において、第１の側から見た、図１に示した顕微鏡の概略図である。
【図３】図１および図２に示した顕微鏡の概略的な部分図である。
【図４】レボルバ支持体の下側位置において、第２の側から見た、図１から図３に示した顕微鏡の概略図である。
【図５】レボルバ支持体の上側位置において、第２の側から見た、図１から図４に示した顕微鏡の概略図である。
【図６】第２の側から見た、図１から図５に示した顕微鏡の概略的な部分図である。
【図７】図１から図６に示した顕微鏡の第１のカバーを示す概略図である。
【図８】図１から図６に示した顕微鏡の第２のカバーを示す概略図である。
【図９】図１から図６に示した顕微鏡の第３のカバーを示す概略図である。
【図１０】図１から図６に示した顕微鏡のレボルバ支持体を示す概略図である。
【図１１】レボルバ支持体の上側位置において、第１の側から見た、図１から図６に示した顕微鏡をカバーなしに示す概略図である。
【図１２】レボルバ支持体の上側位置において、第２の側から見た、図１から図６に示した顕微鏡をカバーなしに示す概略図である。
【図１３】レボルバ支持体の上側位置において、第１の側から見た、図１から図６に示した顕微鏡を第２のカバーなしに示す概略的な部分図である。
【図１４】レボルバ支持体の下側位置において、第１の側から見た、図１から図６に示した顕微鏡を第２のカバーなしに示す概略的な部分図である。
【００２６】
図１には、第１の側から見た顕微鏡１０の概略図が図示されている。顕微鏡１０は、スタンド基体１２を有しており、該スタンド基体１２には顕微鏡テーブル１４が不動に取り付けられている。顕微鏡テーブル１４上に、特に対象物支持体の形態で、観察対象物が支持され得る。
【００２７】
さらに対物レンズレボルバ１６が設けられている。対物レンズレボルバ１６は、複数の切欠きを有している。これらの切欠きのうちの１つが例示的に参照符号２２で示されている。切欠き２２内にはそれぞれ対物レンズ１８が収容可能である。この場合、図１には図面を見やすくするために唯１つの対物レンズ１８しか示されていない。対物レンズレボルバ１６は、この場合、レボルバ支持体２０において回転可能に取り付けられているので、選択的に複数の対物レンズ１８のうちの１つを顕微鏡１０の光学軸線へと回転させることができる。この場合、対物レンズレボルバ１６は、対物レンズレボルバ１６が回転され得る回転軸線が顕微鏡１０の光学軸線に対して傾斜して延びているように、傾斜してレボルバ支持体２０に取り付けられている。
【００２８】
対物レンズレボルバ１６の回転は、特に手動で操作部分を用いて行われる。このためには、対物レンズレボルバ１６の縁部に、オペレータの滑りを回避することが望ましいギザギザ部２６が設けられている。さらに対物レンズレボルバ１６は、より良好な操作性のために、顕微鏡の第１の側の方向にレボルバ支持体２０を越えて突出している。これにより対物レンズレボルバ１６は簡単にオペレータにより回転させられ得る。
【００２９】
顕微鏡１０は、接眼レンズ３０と筒部３２とをさらに有している。接眼レンズ３０および筒部３２を通じて、オペレータは対象物を観察することができる。さらに、対象物を照明するためには、一方では、透過照明アーム３４に取り付けられた透過光源３６、他方では落射照明ユニット３８が設けられている。
【００３０】
レボルバ支持体２０は、該レボルバ支持体２０がスタンド基体１２に対して相対的に、ひいては顕微鏡テーブル１４に対しても相対的に双方向矢印Ｐ１の方向に走行可能に、スタンド基体１２に取り付けられている。この場合、走行方向Ｐ１は、顕微鏡１０の光学軸線に対して平行に向けられている。レボルバ支持体２０、ひいては対物レンズレボルバ１６の相応の移動を経て、観察すべき対象物への焦点合わせを行うことができる。
【００３１】
レボルバ支持体２０を移動するためには、顕微鏡１０の第１の側に、移動ボタン２４が設けられている。この移動ボタン２４を介して、オペレータはレボルバ支持体２０の、ｚ方向（つまり上方および下方）への走行を制御することができる。この場合、走行は選択的に純粋に機械的に、またはモータによっても行うことができる。
【００３２】
図１には、レボルバ支持体２０の下側位置が示されている。この下側位置では、対物レンズレボルバ２０が、スタンド基体１２の、レボルバ支持体２０に面した表面４０に対して最小の間隔しか有しておらず、この表面に特に接触する。
【００３３】
これに対して図２には、第１の側から見た顕微鏡１０の概略図が示されており、この場合、レボルバ支持体２０が、上側位置で図示されている。この上側位置では、レボルバ支持体２０は、表面４０に対してその最大の間隔を有している。図１１および図１２から判るように、レボルバ支持体２０の移動により、スタンド基体１２の表面４０と、レボルバ支持体２０の下面との間に中間スペース６０が生じる。この中間スペース６０を第１の側から閉鎖するために、第１の側には第１のカバー５０と、第２のカバー５２とが設けられており、かつ第２の側には第３のカバー５８が設けられている。図１１および図１２では、中間スペース６０が見えるように、これらのカバー５０，５２，５８は消されている。図１１および図１２において明らかに判るように、中間スペース６０は、種々のカバー５０，５２，５８なしでは、顕微鏡１０のオペレータの指が中間スペース６０内に入り込むことができ、レボルバ支持体２０の上側位置から下側位置への移動時に指が挟み込まれ得るように大きい。さらに、カバー５０，５２，５８なしでは、光、特にレーザ光が中間スペース６０から漏れ出ることが可能である。
【００３４】
これら両方の問題、つまり挟込みと光漏出を信頼性よく回避するためには、第１の側に、図１〜図３、図７および図９に示した第１のカバー５０および第２のカバー５２が設けられている。図３は、第１の側から見た顕微鏡１０の部分図を示しており、この場合、第１のカバー５０および第２のカバー５２の領域が拡大されて図示されている。図７は、第１のカバー５０の概略図を、図８は第２のカバー５２の概略図を示している。
【００３５】
第１のカバー５０は、スタンド基体１２に堅固に取り付けられており、好適には剛性のカバー金属薄板として形成されている。カバー金属薄板は、レボルバ支持体２０の移動中に変形されない。基本的には、第１のカバー（および同様に第２のカバーおよび第３のカバー）を、光を透過させない別の材料から製造することも可能である。
【００３６】
これに対して第２のカバー５２は、対物レンズレボルバ１６の回動不能な部分に取り付けられている。択一的または付加的には、第２のカバー５２はレボルバ支持体２０に取り付けられてもよい。したがって、第２のカバー５２は、レボルバ支持体２０および対物レンズレボルバ１６と一緒に矢印Ｐ１への移動時に共に移動させられる。
【００３７】
第１のカバー５０は、対物レンズレボルバ１６の領域において切欠き５４を有しているので、対物レンズレボルバ１６は、レボルバ支持体２０の下側位置においても第１のカバー５０により妨害されず、第１のカバー５０を越えて突出することができるので、対物レンズレボルバ１６の回転は常に可能である。
【００３８】
第１のカバー５０が中間スペース６０を閉鎖するために用いられるのに対して、第２のカバー５２は、特に第１のカバー５０の切欠き５４を閉鎖する。しかし第２のカバー５２は、少なくとも部分的に中間スペース６０も一緒に閉鎖することができる。したがって、第１のカバー５０および第２のカバー５２の協働により、第１の側における光漏出および挟込みが確実に回避される。第２のカバーを外してしまったら、オペレータが、レボルバ支持体２０の降下運動時に、レボルバ支持体２０の切欠きの領域において対物レンズレボルバ１６と第１のカバー５０との間に指を挟み、かつ／または少なくともレボルバ支持体２０が上側位置に配置されている場合に、光がこの領域において漏れ出る虞が生じるであろう。この問題は、図１３および図１４において明確に示されている。図１３および図１４にはそれぞれ第１の側から見た顕微鏡１０の部分図が示されている。この場合、第２のカバー５２は消されている。図１３にはレボルバ支持体２０の上側位置が示されており、図１４にはレボルバ支持体２０の下側位置が示されている。第２のカバー５２なしでは、オペレータは、上側位置から下側位置へのレボルバ支持体２０の移動時に対物レンズレボルバ１６と、切欠き５４の領域の第１のカバー５０との間に指を挟まれることがあり、この領域において光が漏れ出ることができる。第１のカバー５０と第２のカバー５２と協働のみが、完全な安全性を提供する。
【００３９】
第１のカバー５０は、その形状から特にレボルバ支持体２０の輪郭に適合されており、かつレボルバ支持体２０のすぐ手前に配置されているので、レボルバ支持体２０と第１のカバー５０との間には小さな隙間しか生じず、これによりこの箇所でも挟まりは不可能である。相応して第２のカバー５２は、対物レンズレボルバ１６、レボルバ支持体２０および第１のカバー５０の形状に適合されており、特に第１のカバー５０のすぐ手前に配置されているので、ここでもやはりできるだけ小さな隙間しか生じず、挟込みは信頼性よく回避される。
【００４０】
図４および図５にはそれぞれ、第２の側から見た顕微鏡１０の概略図が示されている。この場合、この第２の側は、第１の側の反対に位置している。図４では、レボルバ支持体２０が下側位置に配置されており、図５では上側位置に配置されている。図６も対物レンズレボルバ１６の周辺の領域の部分図を示している。
【００４１】
第２の側には、第３のカバー５８が設けられている。第３のカバー５８は、やはりスタンド基体１２に堅固に配置されている。この第３のカバー５８は、中間スペース６０を第２の側からも閉鎖するために働くので、一方では挟まり防護が達成され、他方では光の漏出が回避される。図９には、この第３のカバー５８の概略図が示されている。
【００４２】
第３のカバー５８は、やはり剛性のカバー金属薄板として形成されており、レボルバ支持体２０の輪郭に適合されている。さらに第３のカバー５８は、特にレボルバ支持体２０のすぐ手前に配置されているので、最小限の隙間しか生じない。
【００４３】
第２の側では、傾斜して位置する対物レンズレボルバ１６が下側領域においてレボルバ支持体２０から突出しないので、第３のカバー５８は、第１のカバー５０とは異なり、切欠きを有している必要はない。したがって、第２の側では、唯１つのカバー５８を設ければ十分である。この単一のカバー５８が完全な挟まり防護を提供するからである。
【符号の説明】
【００４４】
１０  顕微鏡
１２  スタンド基体
１４  顕微鏡テーブル
１６  対物レンズレボルバ
１８  対物レンズ
２０  レボルバ支持体
２２  切欠き
２４  ボタン
２６  ギザギザ部
３０  接眼レンズ
３２  筒部
３４  透過照明アーム
３６  透過光源
３８  落射照明ユニット
４０  表面
５０  第１のカバー
５２  第２のカバー
５４  切欠き
５８  第３のカバー
６０  中間スペース
Ｐ１  移動方向
【図１】
0006602841.tif 000002
【図２】
0006602841.tif 000003
【図３】
0006602841.tif 000004
【図４】
0006602841.tif 000005
【図５】
0006602841.tif 000006
【図６】
0006602841.tif 000007
【図７】
0006602841.tif 000008
【図８】
0006602841.tif 000009
【図９】
0006602841.tif 000010
【図１０】
0006602841.tif 000011
【図１１】
0006602841.tif 000012
【図１２】
0006602841.tif 000013
【図１３】
0006602841.tif 000014
【図１４】
0006602841.tif 000015